(57)【特許請求の範囲】
【請求項１】
ファインダ光路中の所定位置において、形成された模様が異なる焦点検出板を交換できる撮像装置であって、
前記ファインダ光路中において、複数の情報を表示できる表示手段と、
前記撮像装置に装着されている前記焦点検出板を撮像する撮像手段と、
前記撮像手段で取得した情報から、前記撮像装置に装着されている前記焦点検出板に形成されている模様を判別する判別手段と、
前記複数の情報のうち、前記判別手段で判別された前記焦点検出板に形成された模様と重畳する情報を、前記表示手段に表示させないように制御する制御手段と、を有することを特徴とする撮像装置。
【請求項２】
前記制御手段は、前記複数の情報のうち、前記判別手段で判別された前記焦点検出板に形成された模様と重畳しない情報を前記表示手段に表示できるように制御することを特徴とする請求項１に記載の撮像装置。
【請求項３】
前記表示手段は、前記複数の情報のそれぞれに対応した複数の電極パターンが形成された液晶パネルであって、
前記制御手段は、前記複数の電極パターンのうち、前記判別手段で判別された前記焦点検出板に形成された模様と重畳する電極パターンにかける電圧を変更することで、当該模様と重畳する情報を非表示にすることを特徴とする請求項１または２に記載の撮像装置。
【請求項４】
前記判断手段で判断された前記焦点検出板に形成された模様に対応した測光補正値を決定する補正値決定手段を有することを特徴とする請求項１ないし３のいずれか１項に記載の撮像装置。
【請求項５】
前記焦点検出板に形成された模様は、当該焦点検出板に形成されたケガキおよびマークであって、
前記判断手段は、前記撮影手段の出力値の分布から、前記撮像装置に装着されている前記焦点検出板のケガキおよびマークの位置および数を判別して前記焦点検出板の種類を検知することで、前期焦点検出板に形成された模様を判別することを特徴とする請求項１ないし４のいずれか１項に記載の撮像装置。
【請求項６】
前記判断手段は、前記撮影手段の出力値の読出し範囲を水平方向と垂直方向に設定することを特徴とする請求項５に記載の撮像装置。
【発明の詳細な説明】
【技術分野】
【０００１】
本発明は、種類の異なる焦点検出板をファインダ光路中の所定位置に交換可能である撮像装置に関するものである。
【背景技術】
【０００２】
従来技術として、一眼レフカメラの光学ファインダ内において、撮影レンズを通して焦点検出板に１次結像した被写界像と光学的に等価の位置に各種撮影情報が重なって視認されるよう表示装置を設ける、いわゆるスーパーインポーズ表示（ＳＩ表示）が知られている。そして、ファインダ光路中に高分子分散液晶を配置し、該高分子分散液晶のパターンのＯＮ、ＯＦＦによって、クロップ撮影モード時の撮影領域や測距点、方眼表示など各種撮影情報を表示する技術が知られている（特開平０４−１０９２３２号公報（特許文献１））。
【０００３】
また、一眼レフカメラでは焦点検出板を撮影目的や撮影者の視覚的好みに応じて異なったタイプに交換装着可能となっており、構図合わせのしやすいように方眼のケガキ線がはいったもの、目盛りのケガキ線が入ったもの等が交換可能な焦点検出板として用意されている。また拡散特性が異なる交換用焦点検出板も用意されており、一般的に明るいファインダ像を好む場合は、拡散特性の低い所謂素通しに近いマット部（焦点検出板の表面部）を有する焦点検出板が装着される。逆に拡散特性の高いマット部を有する焦点検出板が装着された場合は、撮像レンズの合焦状態（ピント合わせ）の確認が容易になる特徴がある。
【先行技術文献】
【特許文献】
【０００５】
【特許文献１】特開平０４−１０９２３２号公報
【発明の概要】
【発明が解決しようとする課題】
【０００６】
本発明が解決しようとする問題として、上述したような方眼や目盛りのケガキ線がはいった焦点検出板の装着時には、該焦点検出板のケガキ線と、上述した高分子分散液晶の方眼パターンとが重複して光学ファインダ内に表示されてしまう。そのため、撮影者は焦点検出板交換時には、該焦点検出板のケガキ線と高分子分散液晶のパターンが重複しないよう、高分子分散液晶のパターンの表示を設定しなければならない問題がある。
【０００７】
（発明の目的）
本発明の目的は、いずれの焦点検出板に交換された場合でも、撮影者が特別な操作を行う必要なく、撮影者に良好な被写界像を視認させることができる撮像装置を提供することである。
【課題を解決するための手段】
【０００９】
上記目的を達成するために、本発明の撮像装置は、ファインダ光路中の所定位置において、形成された模様が異なる焦点検出板を交換できる撮像装置であって、前記ファインダ光路中において、複数の情報を表示できる表示手段と、前記撮像装置に装着されている前記焦点検出板を撮像する撮像手段と、前記撮像手段で取得した情報から、前記撮像装置に装着されている前記焦点検出板に形成されている模様を判別する判別手段と、前記複数の情報のうち、前記判別手段で判別された前記焦点検出板に形成された模様と重畳する情報を、前記表示手段に表示させないように制御する制御手段と、を有することを特徴とするものである。
【発明の効果】
【００１０】
本発明によれば、いずれの焦点検出板に交換された場合でも、撮影者が特別な操作を行う必要なく、撮影者に良好な被写界像を視認させることができる。
【図面の簡単な説明】
【００１２】
【図１】本発明の実施例であるデジタルカメラの概略構成を示す図である。
【図２】焦点検出板の種類の例と拡散特性を示す図である。
【図３】ファインダ内撮影範囲を説明する図である。
【図４】高分子分散液晶パネルと焦点検出板を説明する図である。
【図５】高分子分散液晶パネルの電極パターンの例を説明する図である。
【図６】方眼焦点検出板装着時のファインダ視野を説明する図である。
【図７】実施例の回路構成を示すブロック図である。
【図８】実施例の動作を示すフローチャートである。
【図９】焦点検出板検知の例を説明する図である。
【図１０】焦点検出板検知の他の例を説明する図である。
【図１１】焦点検出板の種類とＥＥＰＲＯＭ保存テーブルの対応を説明する図である。
【図１２】測光補正値テーブルを示す図である。
【発明を実施するための形態】
【００１３】
本発明を実施するための形態は、以下の実施例に記載される通りである。
【実施例】
【００１４】
以下、本発明の撮像装置の実施例であるデジタルカメラを図１〜図７に基づいて詳細に説明する。なお、図１〜図７において同一の要素部品には同じ番号がふってある。
【００１５】
図１は、本発明の実施例であるデジタルカメラの概略構成を示す図である。同図において、１０１はＣＰＵ（中央演算処理装置）であり、本カメラの動作はＣＰＵ１０１により制御される。１０５は撮影レンズであり、撮影被写界光をＣＣＤなどの撮像素子１０６上に結像させている。なお同図に書かれた撮影レンズ１０５は、便宜的に１枚のレンズ１０５ａで表現しているが、実際には複数のレンズから成り立っている。
【００１６】
１２８は、撮影レンズ１０５の撮像素子１０６上の結像面と等価の結像面に置かれた焦点検出板であり、種類の異なるものがファインダ光路中の所定位置に交換可能に装着される。被写界像は主ミラー１２６で反射され、焦点検出板１２８に１次結像する。撮影者はこの被写界像をペンタプリズム１２７、接眼レンズ１２１を通じて見ることができる、いわゆるＴＴＬ方式の光学ファインダ構成となっている。また、この焦点検出板１２８は、撮影目的や撮影者の視覚的好みに応じて異なったタイプに交換装着可能である。一般的に明るいファインダ像を好む場合は、拡散特性の低い所謂素通しに近いマット部（焦点検出板の表面部）を有する焦点検出板が装着される。逆に拡散特性の高いマット部を有する焦点検出板が装着された場合は、撮像レンズ１０５の合焦状態（ピント合わせ）の確認が容易になる特徴がある。また、構図合わせのしやすいように方眼のケガキ線がはいったもの（図２（ｃ））（以降、方眼焦点検出板と称する）、目盛りのケガキ線が入ったもの（図２（ｄ））（以降、目盛り焦点検出板と称する）等が交換可能な焦点検出板として用意されている。また、前述した拡散特性と交換可能な焦点検出板の関係として、例えば図２（ｅ）のように焦点検出板の種類と拡散特性は予め定められており、つまりは焦点検出板のケガキ線から焦点検出板の種類を判別することで、装着されている焦点検出板の拡散特性が一意的に決定することとなる。また、ここで設定されている焦点検出板と拡散特性については、一般的に焦点検出手段によって自動的にレンズを焦点位置に駆動する、いわゆるＡＦ（オートフォーカシング）設定時には特に撮影者は焦点検出板の被写界像を見ながら厳密な合焦状態（ピント合わせ）を確認する必要はない。したがって、拡散特性が低い所謂素通しに近い焦点検出板を装着したほうがファインダ内が明るく視認できるため、焦点検出範囲（図２（ａ））やスポット測光（図２（ｂ））の指標が入った一般的な焦点検出板は拡散特性が低い焦点検出板として設定される。また、目盛り焦点検出板のような顕微鏡写真撮影で用いられる焦点検出板は撮影者が目視でピント合わせを行うことが考慮され、合焦状態（ピント合わせ）の確認が容易となる拡散特性の高い焦点検出板として設定されている。
【００１７】
本実施例では簡潔に説明を行うため、拡散特性が「高い」か「低い」の２パターンでの説明とするが、焦点検出板ごとに拡散特性をそれぞれ設定しておいても良い。
【００１８】
次に本発明に係るファインダ内撮影手段について説明する。１３０は例えば画素ピッチが約６μｍで横６４０×縦４８０の約３０万画素の高画素数のＣＣＤセンサからなるファインダ内撮影用センサである。光学縮小倍率０．１２倍のファインダ内撮影レンズ１２９によって焦点検出板１２８に結像した被写界像や上述した焦点検出板１２８上の方眼や目盛りのケガキ線（線幅約２０μｍ）を撮影することで、装着されている焦点検出板の種類を検知するための情報を出力する。これにより、上述した焦点検出板と拡散特性の関係より、装着されている焦点検出板の種類を判別することが可能となっている。さらにこのファインダ内撮影手段は、ファインダ内撮影用センサ１３０の出力値から被写界の輝度分布を検出するための測光センサとしての役割も持っている。測光時には６４０×４８０画素（約３０万画素）の領域を横５×縦３の粗い領域（１領域は１２８×１６０の約２万画素となる）に区切り、各々の領域内にあるセンサ出力値の和や平均値を算出し、その領域に対応した被写界の輝度検出を可能としている。また、上記ファインダ内撮影範囲はファインダ内撮影レンズ１２９の縮小倍率とファインダ内撮影用センサ１３０のセンササイズにより、図３のように視野枠よりも内側の範囲に対応することとなる。また、図３においてファインダ内撮影範囲の内部のＡ１１〜Ａ３５は上記測光時に横５×縦３の領域を示している。また、焦点検出板１２８の近傍に配置された１２３は視野枠であり、被写体光束の周辺部を遮光することによって撮像素子１０６にて撮像される領域を撮影者に視認させるためのものである。
【００１９】
１１５はファインダ内表示部であり、導光プリズム、ペンタプリズム１２７、接眼レンズ１２１を介して、絞り値やシャッタ速度など、カメラの各種撮影情報を撮影者に知らしめるためのものである。一方、主ミラー１２６は半透過ミラーであり、透過した一部の光束はサブミラー１２２を通じて焦点検出手段である焦点検出ユニット１１９に導かれ、周知の位相差検出方式の焦点検出動作を行う。
【００２０】
続いて本発明に係るファインダ内表示手段の説明を行う。焦点検出板１２８の近傍に配置された１１２は、高分子分散液晶パネルである。上記焦点検出動作の状態や焦点検出範囲、方眼などを光学ファインダの光路中に表示し、光学ファインダを覗いているカメラの撮影者に知らしめるためのものである。
【００２１】
図４は、高分子分散液晶パネル１１２と方眼焦点検出板１２８を模式的に書いたものである。高分子分散液晶パネル１１２は、上下２枚の板ガラス１１２ａ、１１２ｂとその間に封止された液晶層１１２ｃからなる。また図５から分かるように、２枚の板ガラスの液晶に対向する面にはＩＴＯ（透明電極）による電極パターンが形成されており、図５の下板ガラス１１２ｂの液晶側表面に形成された方眼の電極パターンＬ２、スポット測光マークの電極パターンＬ３、焦点検出範囲の電極パターンＬ４、他の領域の電極パターンＬ１がそれぞれパターニングされている。一方、上板ガラス１１２ａの液晶側表面には全面べたにＣＯＭ電極がパターニングされており、ＣＯＭ電極とＬ１、Ｌ２、Ｌ３、Ｌ４の電極との各々の間に電圧を加えることで、各パターンの透明、非透明を切り替えることが可能となる。高分子分散液晶は電圧をかけないと液晶内部材料の屈折率が各々異なることから光の散乱を生じ、外観上、不透明の状態である。これに電圧をかけると、内部の屈折率が一致し、液晶層は透明となる。したがって図５の電極パターンにおいて、例えばＣＯＭ電極とＬ１、Ｌ３、Ｌ４の電極との間に電圧をかけることで方眼以外の電極パターンが透明な状態になり、高分子分散液晶パネル１１２には方眼のみが表示されることとなる。
【００２２】
次に図４のように方眼焦点検出板装着時の光学ファインダ内について、図６を用いて説明を行う。図６（ａ）は方眼焦点検出板が装着され、さらに上述したように高分子分散液晶パネル１１２の方眼線のパターンのみが表示されている時のファインダ内の様子である。高分子分散液晶パネル１１２と方眼焦点検出板の両方の方眼が重複してしまうため、ファインダ内が煩雑となってしまう。そこで、ファインダ内撮影手段で取得した情報から、装着されている焦点検出板１２８が方眼焦点検出板であることを判別した際には、自動的に高分子分散液晶パネル１１２のＣＯＭ電極とＬ２電極の間に電圧をかけるようにしておく。これにより、方眼焦点検出板装着時には図６（ｂ）のように良好な被写界像が視認できるようになる。上記したファインダ内撮影手段による情報からの高分子分散液晶パネル１１２のパターンの表示制御方法の詳細は後述する。
【００２３】
再びここで図１に戻って、撮影者がレリーズＳＷ（不図示）を押すと、主ミラー１２６は撮影レンズ１０５の光路外に退避する。一方、撮影レンズ１０５によって集光された被写界光はフォーカルプレーンシャッタ１３３にてその光量制御がなされ、撮像素子１０６によって被写界像として光電変換処理表示された後、撮影済み画像として記録メディアに記録されるとともに、ＴＦＴの外部表示部１１３に撮影画像の表示がなされる。
【００２４】
図７は、本発明の実施例によるデジタルカメラの概略構成を示す電気ブロック図である。
【００２５】
同図において、１０１は前述のＣＰＵ（中央演算処理装置）であり、その内部には不揮発性メモリであるＥＥＰＲＯＭ１０１ａが構成されている。またＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、表示制御部１１１、レリーズＳＷ１１４が接続されている。さらに、電源を供給するためのＤＣ／ＤＣコンバータ１１７、ファインダ内撮影用センサ１３０がそれぞれ接続され、画像処理部１０８には撮像素子制御部１０７、撮像素子１０６が接続されている。撮像素子１０６は有効画素数約１０００万画素（３８８８×２５９２）を有している。
【００２６】
そして、表示制御部１１１には外部表示部１１３が接続されており、外部表示部１１３は撮像素子１０６にて撮像された画像を縦横各々間引き処理された画像を表示することのできるＴＦＴカラー液晶である。さらに表示制御部１１１は、前記ファインダ内にカメラの各種撮影情報の表示を行う前述のファインダ内表示部１１５、および高分子分散液晶パネル１１２の駆動を行っている。
【００２７】
ＣＰＵ１０１はＲＯＭ１０２内の制御プログラムに基づいて各種制御を行う。これらの制御の中には、画像処理部１０８から出力された撮影画像信号を読み込み、ＲＡＭ１０３へ転送を行う処理、同様にＲＡＭ１０３より表示制御部１１１へデータを転送する処理、また、画像データをＪＰＥＧ圧縮してファイル形式でデータ格納手段１０４へ格納する処理を含む。
【００２８】
さらにＣＰＵ１０１は、撮像素子１０６、撮像素子制御部１０７、画像処理部１０８、表示制御部１１１、ファインダ内撮影用センサ１３０などに対してデータ取り込み画素数やデジタル画像処理の変更指示を行う。
【００２９】
１１９は前述の焦点検出用の一対のラインセンサを含んだ焦点検出ユニットであり、ラインセンサから得た電圧をＡ／Ｄ変換し、ＣＰＵ１０１に送る。またＣＰＵ１０１の指示のもとに、焦点検出ユニット１１９はラインセンサの蓄積時間とＡＧＣ（オートゲインコントロール）の制御も行う。また、レリーズＳＷ１１４の操作に伴う撮影動作の指示、さらに、各素子への電源の供給をコントロールするための制御信号をＤＣ／ＤＣコンバータ１１７に対して出力する処理等も、ＣＰＵ１０１の制御の基に行われている。
【００３０】
ＲＡＭ１０３は画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、また、画像圧縮処理、解凍処理のための画像専用ワークエリアとして使用される。ワークエリア１０３ｂは各種プログラムのためのワークエリアである。ＶＲＡＭ１０３ｃは外部表示部１１３へ表示する表示データを格納するＶＲＡＭとして使用される。また、一時退避エリア１０３ｄは各種データを一時退避させるためのエリアである。データ格納手段１０４は、ＣＰＵ１０１によりＪＰＥＧ圧縮された撮影画像データ、あるいはアプリケーションより参照される各種付属データ等をファイル形式で格納しておくためのフラッシュメモリである。撮像素子１０６は撮影レンズ１０５によって投影された撮影画像をアナログ電気信号に変換するための素子である。この撮像素子１０６は、ＣＰＵ１０１よりの解像度変換指示に従って、水平方向および垂直方向の間引き画素データの出力が可能である。撮像素子制御部１０７は、撮像素子１０６に転送クロック信号やシャッタ信号を供給するためのタイミングジェネレータ、撮像素子出力信号のノイズ除去、ゲイン処理を行うための回路、さらに、アナログ信号を１０ビットデジタル信号に変換するためのＡ／Ｄ変換回路を含む。また同様に、ＣＰＵ１０１よりの解像度変換指示に従って、画素間引き処理を行うための回路等を含んでいる。
【００３１】
また、画像処理部１０８は、撮像素子制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら、撮像素子１０６、撮像素子制御部１０７から撮像手段が構成されている。表示制御部１１１は、画像処理部１０８から転送されたＹＵＶデジタル画像データ、あるいはデータ格納手段１０４からの画像ファイルに対してＪＰＥＧの解凍を行ったＹＵＶデジタル画像データを受け取り、ＲＧＢデジタル信号へ変換したあと、外部表示部１１３へ出力する処理を行う。
【００３２】
ここで、本発明に係る焦点検出板検知手段を詳細に説明する。焦点検出板検知手段に取得した情報を出力するファインダ内撮影用センサ１３０は、ファインダ内撮影用レンズ１２９によって焦点検出板１２８に結像した被写界像の２次結像をアナログ電気信号に変換する役割を持っている。ファインダ内撮影用センサ１３０のアナログ電気信号はＣＰＵ１０１によってＡ／Ｄ変換が行われ、各々８ビットのデジタル信号となる。本実施例において、焦点検出板検知手段は、ファインダ内表示手段（高分子分散液晶パネル１１２）の表示制御機能と測光値補正機能の二つの機能を持っており、以下にそれぞれの場合の動作の説明を行う。
【００３３】
まず、焦点検出板検知手段が持つファインダ内表示手段（高分子分散液晶パネル１１２）の表示制御機能を説明する。ＣＰＵ１０１は、ファインダ内撮影用センサ１３０から取得した６４０×４８０画素（約３０万画素）のデジタル信号を読み出し、その出力値の分布からどの種類の焦点検出板が装着されているかを検知する。なお、焦点検出板１２８の検知は、上記６４０×４８０画素（約３０万画素）全てのセンサ出力値の分布から判別しても、焦点検出板１２８の種類が判別できる特徴的な範囲を予め定めておき、その範囲のセンサ出力値の分布から判別しても良い（詳細については後述する）。
【００３４】
次に、焦点検出板検知測光手段の測光値補正機能について説明する。ＣＰＵ１０１はファインダ内撮影用センサ１３０からの６４０×４８０画素（約３０万画素）から得られた各々のアナログ電気信号に対して、Ａ／Ｄ変換を行う。前述したように、６４０×４８０画素（約３０万画素）の領域を横５×縦３に分割し、各々の領域内のデジタル信号値の和や平均値に変換する。その後、これに撮影レンズ１０５の明るさを示すＦｎｏ．（実行Ｆｎｏ．）の値の補正、さらにセンサ出力信号のバラツキの補正（レベル・ゲインの調整）を行う。これに加えて、前述した焦点検出板検知手段から判別した焦点検出板１２８の情報から焦点検出板１２８の拡散特性に対応した測光補正を行い、最終的に被写界輝度信号値として情報を得る。これらの情報に基づき、カメラの最適露出演算が行われ、カメラのシャッタスピード、撮影レンズ１０５の絞りを最適に設定することが可能となる。
【００３５】
レリーズＳＷ１１４は、撮影動作の開始を指示するためのものである。このレリーズＳＷ１１４は不図示のレリーズボタンの押下圧によって２段階のスイッチポジションが有る。１段目のポジション（ＳＷ１  ＯＮ）の検出で、ホワイトバランス、測光等のカメラ設定のロック動作が行われ、２段目のポジション（ＳＷ２  ＯＮ）の検出で、被写界画像信号の取り込み動作が行われる。
【００３６】
電池１１６はリチャージャブルの２次電池あるいは乾電池である。また、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７はＣＰＵ１０１からの制御信号により、各々の電圧供給の開始、停止を制御できるようになっている。
【００３７】
次に図８のフローチャートを用いて本実施例に係る一眼レフカメラの動作について説明を行う。
【００３８】
ステップＳ２００において、一眼レフカメラの不作動状態から不図示の電源スイッチをＯＮにする。本実施例ではステップＳ２００において、一眼レフカメラの電源スイッチがＯＮになると、以後の各ステップにて自動的にファインダ内撮影動作が行われ、装着されている焦点検出板１２８の種類を検知する。焦点検出板１２８の検知後は撮影者は特別な操作を行うことなく、前述したように装着されている焦点検出板１２８の種類に応じて、高分子分散液晶パネル１１２の表示の設定や測光補正値が決定され、設定が自動的に変更されることとなる。
【００３９】
ステップＳ２０１では、ステップＳ２０２のファインダ内撮影動作のために高分子分散液晶パネル１１２を全透過の状態（素通し）にする。次に、ステップＳ２０２のファインダ内撮影動作を詳細に説明する。図９（ａ）は方眼焦点検出板装着時のファインダ視野内を表したものである。図に示すようにファインダ内撮影用レンズ１２９の縮小倍率により、ファインダ内撮影用センサ１３０の６４０×４８０画素（３０万画素）の範囲はファインダ内撮影範囲に対応する。
【００４０】
ここで、焦点検出板検知動作について詳細に説明する。ＣＰＵ１０１はファインダ内撮影用センサ１３０のセンサ出力値から図のような水平方向の読出し範囲１５１（Ｈ）、垂直方向の読出し範囲１５０（Ｖ）の領域のセンサ出力値を読み出す。なお、焦点検出板検知時のファインダ内撮影用センサ１３０の出力値の読出し範囲や読出し位置の設定は、上記６４０×４８０画素（約３０万画素）全てのセンサ出力値の分布から判別しても良い。また、焦点検出板１２８の種類が判別できる特徴的な範囲を予め定めておき、その範囲内のセンサ出力値の分布から判別しても良い。
【００４１】
ステップＳ２０３では、ファインダ内撮影用センサ１３０の出力値は図９（ｂ）（ｃ）のように方眼のケガキ線部の出力値が低くなる。この時、焦点検出板検知の方法として、ＣＰＵ１０１は水平方向の読出し範囲１５１（Ｈ）、垂直方向の読出し範囲１５０（Ｖ）のセンサ出力値の中で出力値が低下した部分Ｈ１、Ｈ２、Ｈ３、Ｖ１、Ｖ２、Ｖ３とその近傍部のセンサ出力差を算出する。該出力低下部と周囲部のセンサ出力差が、例えば閾値ｘ以上であれば、それをケガキ部の候補とする。さらにその出力低下部の個数と出力低下部間の画素座標を基に装着されている焦点検出板１２８の種類を判別することが可能となり、方眼焦点検出板が装着されていることを検知する。なお、上述したセンサ出力の低下部の画素座標については、センサ読出し範囲の開始座標（原点座標）や、ファインダ内撮影用レンズ１２９の縮小倍率とファインダ内撮影用センサ１３０の画素サイズ、画素ピッチとの関係から焦点検出板のケガキ線部の間隔と画素座標の相関関係をを予め決めておけばよい。
【００４２】
ここで、他の焦点検出板装着時の例を挙げる。図１０（ａ）のように装着されている焦点検出板は中央のスポット測光のための指標（スポット測光マーク）、焦点検出範囲を示すケガキ線が入った焦点検出板である。ＣＰＵ１０１は前述した焦点検出板検知手段によって、図１０（ｂ）（ｃ）のような読出し範囲１５１（Ｈ）、１５０（Ｖ）のセンサ出力値を取得する。水平方向の読出し範囲１５１（Ｈ）においては、中央のスポット測光マーク、焦点検出範囲のケガキ線部の出力値が図１０（ｂ）のＨ１、Ｈ２、Ｈ３、Ｈ４のように低下する。垂直方向の読出し範囲１５０（Ｖ）のセンサ出力値はケガキ線がないため、図１０（ｃ）のようにセンサ出力値の低下部がない。前述したセンサ出力の低下部と周囲のセンサ出力差、及び出力低下部の個数と画素座標から、スポット測光マークと焦点検出範囲のケガキ線がある焦点検出板が装着されていることを検知する。同様に他の焦点検出板に対しても、ファインダ内撮影用センサ１３０のセンサ出力値から、装着されている焦点検出板の種類を判別することとなる。
【００４３】
次に、ステップＳ２０３において装着されている焦点検出板の種類を検知した後のステップＳ２０４の高分子分散液晶パターン切替とステップＳ２０５の測光補正値切替について説明する。本発明に係る記録手段である、図７に示したＥＥＰＲＯＭ１０１ａには、図１１（ａ）のように各種焦点検出板とその時の高分子分散液晶パネル１１２の表示制御と測光値補正の関係がデータとして予め記録されている。さらに、高分子分散液晶パネル１１２の表示制御に関しては、図１１（ｂ）のように各テーブル（Ｔａｂｌｅ）と電極パターンＬ１〜Ｌ４の表示のＯＮ、ＯＦＦのデータが記録されている。焦点検出板１２８の種類に応じてＲＡＭ１０３に高分子分散液晶パネル１１２の表示制御データが展開され、ＣＰＵ１０１からの信号を基に表示制御部１２２によって高分子分散液晶パネル１１２の表示内容が制御される。ステップＳ２０４を実行するＣＰＵ１０１は本発明に係る制御手段に相当する。これにより、次回の焦点検出板検知が動作するまでに、装着されている焦点検出板のケガキ線と高分子分散液晶パネル１１２の表示が重って煩雑にならないよう、例えば図６のように、高分子分散液晶パネル１１２の表示が制御され、撮影者は良好な被写界像を視認できる。
【００４４】
同様に、ステップＳ２０５の測光補正値切替においても図１２（ａ）、図１２（ｂ）のように焦点検出板の種類に応じた測光補正値のデータが展開されることとなる。ここで、図１２（ａ）、図１２（ｂ）の領域グループに関して説明する。まず、各図の縦軸は、ＲＡＭ１０３に展開される撮像レンズ１０５の０．５Ｆおきの開放Ｆｎｏ．であって、全ての撮像レンズ１０５はこの開放Ｆｎｏ．情報を記憶している。そして、撮像レンズ１０５が撮像装置に装着された時点で、撮像装置は撮像レンズ１０５の開放Ｆｎｏ．情報を得ることができる。一方、横軸は、ファインダ内撮影領域の横６４０×縦４８０画素（約３０万画素）を横５×縦３に分割した領域Ａ１１〜Ａ３５を領域グループ１、領域グループ２、領域グループ３にグループ分けしたものである。詳しくは、領域グループ１は測光領域Ａ２３のみ、領域グループ２は測光領域Ａ１２、Ａ１３、Ａ１４、Ａ２２、Ａ２４、Ａ３２、Ａ３３、Ａ３４、領域グループ３は上記以外の領域である。そして、同一の領域グループ内では、各測光領域の出力に同じ測光補正値が用いられる。例えば、焦点距離１３５ｍｍ、開放Ｆｎｏ．２．８の撮像レンズ１０５が撮像装置に装着された場合を例にとる。方眼焦点検出板の装着時には、ファインダ内撮影手段からの情報によって方眼焦点検出板であることが検知され、図１２（ａ）の測光補正値Ｔａｂｌｅ１より、領域グループ１は−０．５Ｆ、領域グループ２は−０．３Ｆ、領域グループ３は０Ｆ（測光補正値なし）の測光補正値が選択される。一方、拡散特性の低い焦点検出板が装着されていることが検知されると、図１２（ｂ）の測光補正値Ｔａｂｌｅ２より、領域グループ１は−０．７Ｆ、領域グループ２は−０．４Ｆ、領域グループ３は＋０．１Ｆが選択される。ステップＳ２０５を実行するＣＰＵ１０１は本発明に係る制御手段に相当する。
【００４５】
再び、図８に戻り、上記のようにＣＰＵ１０１内のＥＥＰＲＯＭ１０１ａからＲＡＭ１０３に測光補正値が展開されている状態において、ステップＳ２０６に進み、スイッチＳＷ１がＯＮになると、ステップＳ２０７の測光動作が行われる。ＣＰＵ１０１はファインダ内撮影用センサ１３０の横６４０×縦４８０画素（約３０万画素）をＡ１１〜Ａ３５の横５×縦３に分割し、各々の領域内のファインダ内撮影用センサ１３０のアナログ信号をＡ／Ｄ変換したデジタル信号値の和や平均値に変換する。その後、これに撮影レンズ１０５の明るさを示すＦｎｏ．（実行Ｆｎｏ．）の値の補正、さらにセンサ出力信号のバラツキの補正（レベル・ゲインの調整）を行い、さらに上述した装着されている焦点検出板に応じた図１２（ａ）（ｂ）のいずれかの測光補正値を加算する。
【００４６】
次に、ステップＳ２０８において、ＣＰＵ１０１は、レンズ駆動を行う前の状態で焦点検出動作を行い、焦点検出ユニット１１９の信号に従って撮影レンズ駆動部１２５（図１）に信号を送って所定量だけ撮影レンズ１０５を駆動させる。スイッチＳＷ１がＯＮされている場合は、更にレリーズボタンが押し込まれてスイッチＳＷ２がＯＮされたか否かを判定する。ステップＳ２０９において、スイッチＳＷ２がＯＮされた場合、ステップＳ２１０において、ＣＰＵ１０１は不図示のシャッタ制御部、絞り駆動部、撮像素子制御部１０７にそれぞれ信号を送信して、公知の撮影動作を行う。
【００４７】
なお、ステップＳ２０６でスイッチＳＷ１がＯＦＦと判断された場合は、スイッチＳＷ１のＯＮ待ちの待機状態となる。また、ステップＳ２０９でスイッチＳＷ２がＯＮでなければ、ステップＳ２０６に戻ってスイッチＳＷ２のＯＮ待ちの待機状態となる。ステップＳ２１０における撮影動作は、まず不図示のモータ制御部を介してモータに通電して半透過の主ミラー１２６をアップさせ、撮影レンズ１０５の絞りを絞り込む。その後、シャッタ１３３のマグネットＭＧ−１に通電し、シャッタ１３３の先幕を開放することで撮像素子１０６への被写界光の蓄積を開始する。所定のシャッタ秒時経過後、マグネットＭＧ−２に通電し、シャッタ１３３の後幕を閉じることで撮像素子１０６への被写界光の蓄積を終了する。次にモータに再度通電し、ミラーダウン、シャッタチャージを行い、一連のシャッタレリーズシーケンスの動作（撮影動作）を終了する。このような動作によって、撮像素子１０６には被写界像からの光量が蓄積されることになる。
【００４８】
ステップＳ２１０における撮影動作によって撮像素子１０６に露光された被写界像は光電変換され、画像処理部１０８にてデジタルデータに変換された後、ＲＡＭ１０３へ一時的に格納される。その後、格納された画像デジタルデータを外部表示部１１３に表示するために縦横に間引き処理された全体画像データに変換する。そして、表示用のＶＲＡＭ１０３ｃに再格納され、全体画像データを外部表示部１１３に表示し、撮影者は撮影された画像の全体像を確認することができる。一方、ＲＡＭ１０３に格納された全体画像デジタルデータは、ＪＰＥＧ圧縮処理された後、画像データとしてデータ格納手段１０４によってコンパクトフラッシュ（登録商標）等の記録媒体に記録される。
【００４９】
その後、再びステップＳ２０６のスイッチＳＷ１の入力待ちの状態となり、その間全体画像を表示し続ける。スイッチＳＷ１の入力がなされると、外部表示部１１３の撮影画像表示を消灯し、ステップＳ２１０まで進み、スイッチＳＷ２の入力待ちとなり、スイッチＳＷ２の入力がないとステップＳ２０６に戻り、スイッチＳＷ１の入力待ちの状態で待機する。
【００５０】
上記実施例により、いずれの焦点検出板１２８に交換された場合でも、撮影者が特別な操作を行う必要なく、各種撮影情報を表示する高分子分散液晶パネル１１２の表示内容と該焦点検出板のケガキ線が重複しないよう、高分子分散液晶パネル１１２の表示内容が切り替わる。よって、撮影者は良好に被写界像を視認できるようになる。また、装着した焦点検出板１２８の種類に応じて測光補正値を手動で設定する従来の方法で発生していた設定のし忘れ、設定の間違いが避けられるようになり、いずれの焦点検出板に交換された場合でも、最適な露光量での撮影が可能となる。
【符号の説明】
【００５１】
１０１  ＣＰＵ
１０１ａ  ＥＥＰＲＯＭ
１１１  表示制御部
１１２  高分子分散液晶パネル
１２８  焦点検出板
１３０  ファインダ内撮影用センサ
１５０  垂直方向の読出し範囲
１５１  水平方向の読出し範囲
【図１】
0005896634.tif 000002
【図２】
0005896634.tif 000003
【図３】
0005896634.tif 000004
【図４】
0005896634.tif 000005
【図５】
0005896634.tif 000006
【図６】
0005896634.tif 000007
【図７】
0005896634.tif 000008
【図８】
0005896634.tif 000009
【図９】
0005896634.tif 000010
【図１０】
0005896634.tif 000011
【図１１】
0005896634.tif 000012
【図１２】
0005896634.tif 000013